【手続補正書】
【提出日】平成20年6月11日(2008.6.11)
【手続補正１】
【補正対象書類名】明細書
【補正対象項目名】特許請求の範囲
【補正方法】変更
【補正の内容】
【特許請求の範囲】
【請求項１】
ＷＣＤＭＡ通信システムにおけるソフトハンドオフ動作のための方法において、
第１のダウンリンクデータフレーム時間オフセットにしたがって、第１の基地局から移動局にデータフレームを送信し、前記第１のダウンリンクデータフレーム時間オフセットは、第１の基地局のチャネルフレームタイミングからセットされることと、
前記第１の基地局から受信された第１のダウンリンク送信とアップリンクタイミングとの間の、前記移動局で経験する第１の観測ダウンリンク時間オフセットを測定することと、
第２の基地局から受信された第２のダウンリンク送信と前記アップリンクタイミングとの間の、前記移動局で経験する第２の観測ダウンリンク時間オフセットを測定することと、
前記移動局から、前記第１および第２の基地局と通信している少なくとも基地局制御装置に、前記測定された第１および第２の観測ダウンリンク時間オフセットを通信することと、
前記測定された第２の観測ダウンリンク時間オフセットに基づいて、第２のダウンリンクデータフレーム時間オフセットを決定し、前記第２のダウンリンクデータフレーム時間オフセットは、前記第２の基地局のチャネルフレームタイミングからセットされ、前記第１および第２のダウンリンクデータフレーム時間オフセットは、予め定められた数のチップ時間の増分であることと、
前記ソフトハンドオフ動作のために、前記第２のダウンリンクデータフレーム時間オフセットを前記移動局に通信することと、
前記第２のダウンリンクデータフレーム時間オフセットにしたがって、前記第２の基地局から前記移動局にデータフレームを送信し、前記第１および第２の基地局から送信されるデータフレームは、前記ソフトハンドオフ動作のために、同じデータシンボルを伝えることと、
前記ソフトハンドオフ動作のために、前記第１および通信された第２のダウンリンクデータフレーム時間オフセットにしたがってデータシンボルタイミングを調整する前記移動局中の時間オフセット調整器のタイミングを調整し、前記第１および第２の基地局から送信されたデータフレーム中の対応するデータシンボルを識別することとを含み、
前記ソフトハンドオフ動作は、前記識別された対応するデータシンボルをソフト合成することを含む方法。
【請求項２】
前記第２のダウンリンクデータフレーム時間オフセットを通信することは、前記ＷＣＤＭＡ通信システムにおいてアクティブセット更新メッセージを通信することによる請求項１記載の方法。
【請求項３】
前記移動局から少なくとも前記基地局制御装置に、前記測定された第１および第２の観測ダウンリンク時間オフセットを通信することは、測定報告メッセージを通信することによる請求項１記載の方法。
【請求項４】
ＷＣＤＭＡ通信システムにおけるソフトハンドオフ動作のための方法において、
第１の基地局から受信された第１のダウンリンク送信とアップリンクタイミングとの間の、移動局で経験する第１の観測ダウンリンク時間オフセットを測定することと、
第２の基地局から受信された第２のダウンリンク送信と前記アップリンクタイミングとの間の、前記移動局で経験する第２の観測ダウンリンク時間オフセットを測定することと、
前記移動局から、前記第１および第２の基地局と通信している少なくとも基地局制御装置に、前記測定された第１および第２の観測ダウンリンク時間オフセットを通信することと、
第１のダウンリンクデータフレーム時間オフセットにしたがって、前記第１の基地局からのデータフレームを前記移動局において受信し、前記第１のダウンリンクデータフレーム時間オフセットは、前記第１の基地局のチャネルフレームタイミングからセットされることと、
前記ソフトハンドオフ動作のために、第２のダウンリンクデータフレーム時間オフセットを前記移動局において受信し、前記第２のダウンリンクデータフレーム時間オフセットは、前記測定された第２の観測ダウンリンク時間オフセットに基づいて決定され、前記第２のダウンリンクデータフレーム時間オフセットは、前記第２の基地局のチャネルフレームタイミングからセットされ、前記第１および第２のダウンリンクデータフレーム時間オフセットは、予め定められた数のチップ時間の増分であることと、
前記第２のダウンリンクデータフレーム時間オフセットにしたがって、前記第２の基地局からのデータフレームを前記移動局において受信し、前記第１および第２の基地局から受信されたデータフレームは、前記ソフトハンドオフ動作のために、同じデータシンボルを伝えることと、
前記ソフトハンドオフ動作のために、前記第１および通信された第２のダウンリンクデータフレーム時間オフセットにしたがってデータシンボルタイミングを調整する前記移動局中の時間オフセット調整器のタイミングを調整し、前記第１および第２の基地局から受信されたデータフレーム中の対応するデータシンボルを識別することとを含み、
前記ソフトハンドオフ動作は、前記識別された対応するデータシンボルをソフト合成することを含む方法。
【請求項５】
前記ソフトハンドオフ動作のために、前記第２のダウンリンクデータフレーム時間オフセットを前記移動局において受信することは、アクティブセット更新メッセージを受信することによる請求項４記載の方法。
【請求項６】
前記移動局から少なくとも前記基地局制御装置に、前記測定された第１および第２の観測時間オフセットを通信することは、測定報告メッセージを通信することによる請求項４記載の方法。
【請求項７】
ＷＣＤＭＡ通信システムにおけるソフトハンドオフ動作のための移動局において、
送信機と、
受信機とを具備し、
前記受信機は、
１組の動作を実行するように構成されている、タイミングブロックと、逆拡散器と、復調器と、デコーダとを備え、
前記１組の動作は、
第１の基地局から受信された第１のダウンリンク送信とアップリンクタイミングとの間の、前記受信機で経験する第１の観測ダウンリンク時間オフセットを測定することと、
第２の基地局から受信された第２のダウンリンク送信と前記アップリンクタイミングとの間の、前記受信機で経験する第２の観測ダウンリンク時間オフセットを測定することと、
前記送信機から、前記第１および第２の基地局と通信している少なくとも基地局制御装置に、前記測定された第１および第２の観測ダウンリンク時間オフセットを通信することと、
第１のダウンリンクデータフレーム時間オフセットにしたがって、前記第１の基地局からのデータフレームを前記受信機において受信し、前記第１のダウンリンクデータフレーム時間オフセットは、前記第１の基地局のチャネルフレームタイミングからセットされることと、
前記ソフトハンドオフ動作のために、第２のダウンリンクデータフレーム時間オフセットを前記受信機において受信し、前記第２のダウンリンクデータフレーム時間オフセットは、前記測定された第２の観測ダウンリンク時間オフセットに基づいて決定され、前記第２のダウンリンクデータフレーム時間オフセットは、前記第２の基地局のチャネルフレームタイミングからセットされ、前記第１および第２のダウンリンクデータフレーム時間オフセットは、予め定められた数のチップ時間の増分であることと、
前記第２のダウンリンクデータフレーム時間オフセットにしたがって、前記第２の基地局からのデータフレームを前記受信機において受信し、前記第１および第２の基地局から送信されるデータフレームは、前記ソフトハンドオフ動作のために、同じデータシンボルを伝えることと、
前記ソフトハンドオフ動作のために、前記第１および通信された第２のダウンリンクデータフレーム時間オフセットにしたがってデータシンボルタイミングを調整する前記受信機中の時間オフセット調整器のタイミングを調整し、前記第１および第２の基地局から受信されたデータフレーム中の対応するデータシンボルを識別することと、
前記ソフトハンドオフ動作は、前記識別された対応するデータシンボルをソフト合成することを含む移動局。
【請求項８】
前記ソフトハンドオフ動作のために、前記第２のダウンリンクデータフレーム時間オフセットを前記受信機において受信する動作は、アクティブセット更新メッセージを受信することによる請求項７記載の移動局。
【請求項９】
前記送信機から少なくとも前記基地局制御装置に、前記測定された第１および第２の観測時間オフセットを通信する動作は、測定報告メッセージを通信することによる請求項７記載の移動局。
【請求項１０】
ＷＣＤＭＡ通信システムにおけるソフトハンドオフ動作のための方法において、
第１のダウンリンクデータフレーム時間オフセットにしたがって、第１の基地局から移動局にデータフレームを送信し、前記第１のダウンリンクデータフレーム時間オフセットは、第１の基地局のチャネルフレームタイミングからセットされ、
前記第１および第２の基地局と通信している少なくとも基地局制御装置において、前記移動局からの測定された第１および第２の観測ダウンリンク時間オフセットを受信し、前記測定された第１の観測ダウンリンク時間オフセットは、前記第１の基地局から受信された第１のダウンリンク送信とアップリンクタイミングとの間の、前記移動局で経験する時間オフセットであり、前記測定された第２の観測ダウンリンク時間オフセットは、第２の基地局から受信された第２のダウンリンク送信と前記アップリンクタイミングとの間の、前記移動局で経験する時間オフセットであり、
前記測定された第２の観測ダウンリンク時間オフセットに基づいて、第２のダウンリンクデータフレーム時間オフセットを決定し、前記第２のダウンリンクデータフレーム時間オフセットは、前記第２の基地局のチャネルフレームタイミングからセットされ、前記第１および第２のダウンリンクデータフレーム時間オフセットは、予め定められた数のチップ時間の増分であることと、
前記ソフトハンドオフ動作のために、前記第２のダウンリンクデータフレーム時間オフセットを前記移動局に通信することと、
前記第２のダウンリンクデータフレーム時間オフセットにしたがって、前記第２の基地局から前記移動局にデータフレームを送信し、前記第１および第２の基地局から送信されるデータフレームは、前記ソフトハンドオフ動作のために、同じデータシンボルを伝えることとを含み、
前記第２のダウンリンクデータフレーム時間オフセットを通信することは、前記ソフトハンドオフ動作のために、前記移動局が、前記第１および通信された第２のダウンリンクデータフレーム時間オフセットにしたがってデータシンボルタイミングを調整する前記移動局中の時間オフセット調整器のタイミングを調整し、前記第１および第２の基地局から送信されるデータフレーム中の対応するデータシンボルを識別するためであり、
前記ソフトハンドオフ動作は、前記識別された対応するデータシンボルをソフト合成することを含む方法。
【請求項１１】
前記第２のダウンリンクデータフレーム時間オフセットを通信することは、前記ＷＣＤＭＡ通信システムにおいてアクティブセット更新メッセージを通信することによる請求項１０記載の方法。
【請求項１２】
前記移動局からの前記測定された第１および第２の観測ダウンリンク時間オフセットを少なくとも前記基地局制御装置において受信することは、測定報告メッセージを受信することによる請求項１０記載の方法。
【請求項１３】
ＷＣＤＭＡ通信システムにおけるソフトハンドオフ動作のためのシステムにおいて、
第１の基地局と、
第２の基地局と、
前記ハンドオフ動作のために１組の動作を実行するように構成されている基地局制御装置とを具備し、
前記１組の動作は、
第１のダウンリンクデータフレーム時間オフセットにしたがって、前記第１の基地局から移動局にデータフレームを送信し、前記第１のダウンリンクデータフレーム時間オフセットは、第１の基地局のチャネルフレームタイミングからセットされることと、
前記第１および第２の基地局と通信している少なくとも前記基地局制御装置において、前記移動局からの測定された第１および第２の観測ダウンリンク時間オフセットを受信し、前記測定された第１の観測ダウンリンク時間オフセットは、前記第１の基地局から受信された第１のダウンリンク送信とアップリンクタイミングとの間の、前記移動局で経験する時間オフセットであり、前記測定された第２の観測ダウンリンク時間オフセットは、前記第２の基地局から受信された第２のダウンリンク送信と前記アップリンクタイミングとの間の、前記移動局で経験する時間オフセットであることと、
前記測定された第２の観測ダウンリンク時間オフセットに基づいて、第２のダウンリンクデータフレーム時間オフセットを決定し、前記第２のダウンリンクデータフレーム時間オフセットは、第２の基地局のチャネルフレームタイミングからセットされ、前記第１および第２のダウンリンクデータフレーム時間オフセットは、予め定められた数のチップ時間の増分であることと、
前記ソフトハンドオフ動作のために、前記第２のダウンリンクデータフレーム時間オフセットを前記移動局に通信することと、
前記第２のダウンリンクデータフレーム時間オフセットにしたがって、前記第２の基地局から前記移動局にデータフレームを送信し、前記第１および第２の基地局から送信されるデータフレームは、前記ソフトハンドオフ動作のために、同じデータシンボルを伝えることとを含み、
前記第１および通信された第２のダウンリンクデータフレーム時間オフセットは、前記ソフトハンドオフ動作のために、前記移動局が、前記第１および通信された第２のダウンリンクデータフレーム時間オフセットにしたがってデータシンボルタイミングを調整する前記移動局中の時間オフセット調整器のタイミングを調整し、前記第１および第２の基地局から送信されたデータフレーム中の対応するデータシンボルを識別するためのものであり、
前記ソフトハンドオフ動作は、前記識別された対応するデータシンボルをソフト合成することを含むシステム。
【請求項１４】
前記第２のダウンリンクデータフレーム時間オフセットを通信する動作は、前記ＷＣＤＭＡ通信システムにおいてアクティブセット更新メッセージを通信することによる請求項１３記載のシステム。
【請求項１５】
前記移動局からの前記測定された第１および第２の観測ダウンリンク時間オフセットを少なくとも前記基地局制御装置において受信する動作は、測定報告メッセージを受信することによる請求項１３記載のシステム。